(57)【特許請求の範囲】
【請求項１】
ケース(1)の前面にこのケース内を密封するように設けられた振動板(2)と、この振動板(2)にケース(1)内に向けて突設されたボイスコイル(3)と、上記ケース(1)に上記振動板(2)に対向するように設けられた弾性材料からなる第１弾性板(4)と、上記ボイスコイル(3)に嵌合する嵌合部(6a)と磁石(8)を有して上記第１弾性板(4)に固定された磁気回路部(5)を備えたスピーカにおいて、
上記第１弾性板(4)に、この第１弾性板で仕切られるケース(1)内の振動板側の前室(15)と、振動板(2)と反対側の後室(16)とを連通する貫通穴(18)を設け、この貫通穴(18)を経る前室(15)、後室(16)の空気の相互流通を伴う上記第１弾性板(4)の振動によって音を発するようにしたことを特徴とするスピーカ。
【請求項２】
請求項１に記載のスピーカにおいて、
上記磁気回路部(5)の嵌合部(6a)と上記振動板(2)とを連結する弾性材料からなる第１連結部材(13)と、
上記第１弾性板(4)に対向するように上記ケース(1)に設けられた弾性材料からなる第２弾性板(11)と、
この第２弾性板(11)に固定された慣性部材(12)と、
上記第２弾性板(11)と上記第１弾性板(4)とを連結する弾性材料からなる第２連結部材(14)を備えたことを特徴とするスピーカ。
【請求項３】
請求項２に記載のスピーカにおいて、上記ケース(1)は、上記第２弾性板(11)に対向する底部を有して、上記第２弾性板(11)とケース(10)との間に背面室(17)を画成していることを特徴とするスピーカ。
【請求項４】
請求項２に記載のスピーカにおいて、上記第２弾性板(11)の片面は、外部に露出していることを特徴とするスピーカ。
【請求項５】
請求項１に記載のスピーカにおいて、上記第１弾性板(54)は、中心穴(54a)に上記磁気回路部(51)が固定され、外周(54b)がケース(1)の内壁に固定される円板であり、上記貫通穴は、上記円板を所定数の扇形(54-1,54-2,54-3)に等分した領域に同一形状で設けられ、上記扇形(54-1)の外周一端に開口し、この扇形の他端に向かって周方向に延びつつ上記中心穴(54a)に漸近する第１弧状溝(58a)と、上記扇形(54-1)の外周他端に開口し、この他端に一端が隣接する扇形(54-3)の他端に向かって周方向に延びつつ上記中心穴(54a)に漸近する第２弧状溝(58b)からなることを特徴とするスピーカ。
【請求項６】
請求項１乃至５のいずれか１つに記載のスピーカにおいて、上記磁気回路部(21)の嵌合部は、上記ボイスコイル(3)が挿入される内部と外部側を連通させる貫通穴(22a)を有することを特徴とするスピーカ。
【請求項７】
請求項２乃至６のいずれか１つに記載のスピーカにおいて、スピーカの出力音の周波数が２５０Ｈz以下の場合、上記振動板(2)と上記磁気回路部(5)および上記慣性部材(12)とが主として共振して、上記第１弾性板(4)の貫通穴(18)を経て空気が行き来する一方、上記周波数が２５０Ｈzを超える場合、上記振動板(2)と、上記第１弾性板(4)と振動板(2)との間の前室(15)内の空気および上記第１弾性板(4)と第２弾性板(11)との間の後室(16)内の空気とが主として共振することを特徴とするスピーカ。
【請求項８】
請求項１または５に記載のスピーカにおいて、出力音の周波数が低い場合、上記第１弾性板(54)の貫通穴(58)を経る前室(15)、後室(16)の空気の相互流通を伴って第１弾性板(54)が振動し、出力音の周波数が高い場合、上記前室、後室内の空気が共振して夫々音を発することを特徴とするスピーカ。
【請求項９】
請求項５に記載のスピーカにおいて、上記磁気回路部(51)は、上記ケース(41)に小隙間をあけて嵌合する鍔部(52b)を振動板(2)側の端部に有することを特徴とするスピーカ。
【請求項１０】
請求項５または９に記載のスピーカにおいて、上記磁気回路部(51)は、この磁気回路部(51)の重心位置で上記円板の中心穴(54a)に固定されていることを特徴とするスピーカ。
【請求項１１】
請求項５,８,９,１０のいずれかに１つに記載のスピーカにおいて、上記磁気回路部(71)は、上記円板に関して面対称な形状を有するとともに、上記ケース(41)の底部が、振動板(2)で密閉されていることを特徴とするスピーカ。
【請求項１２】
請求項５,８,９,１０のいずれかに１つに記載のスピーカにおいて、上記ケース(41)は、底部が第２弾性板(11)で密閉され、この第２弾性板(11)と上記第１弾性板(54)との間に上記後室(16)が画成されていることを特徴とするスピーカ。
【請求項１３】
請求項３に記載のスピーカにおいて、上記ケース(1)および振動板(2)は、耐水性材料からなり、上記ケース(1)の底部(10)は、背面室(17)の圧力を外部圧力に等しくするように弾性変形する弾性材料からなることを特徴とするスピーカ。
【請求項１４】
請求項１,５,８〜１２のいずれか１つに記載のスピーカにおいて、上記ケース(41)および振動板(2)は、耐水性材料からなることを特徴とするスピーカ。
【請求項１５】
請求項２乃至１４に記載のスピーカにおいて、上記ボイスコイル(31)は、音声に対応する電気信号が入力される第１コイル(31a)と、警報音や着信を知らせる振動に対応する電気信号が入力される第２コイル(31b)とで構成されることを特徴とするスピーカ。
【請求項１６】
本体ケースに請求項１乃至１５のいずれかに記載のスピーカを取り付けたことを特徴とする携帯通信機器。
【請求項１７】
請求項１６に記載の携帯通信機器において、上記スピーカは、本体ケース(24)のスピーカ開口に、上記本体ケース内に水が入らないように水密に取り付けられたことを特徴とする水中用の携帯通信機器。
【発明の詳細な説明】
【０００１】
【発明の属する技術分野】
本発明は、例えば携帯電話等の携帯通信機器あるいは水中ヘッドホン等の水中で使用する携帯通信機器に好適なスピーカに関する。
【０００２】
【従来の技術】
従来、例えば水中で使用するスピーカとして、特許第３０５７０３９号(特開平１１−１１３０８２号公報)に記載のものがある。このスピーカは、ダイバーが水中で用いるもので、円筒状の水密ケースの前端面が振動板になっていて、この振動板の内面中央にボイスコイルを突設し、このボイスコイルに対向して内嵌する円柱部と永久磁石をもつ磁気回路部を弾性支持板に固定し、この弾性支持板の外周を水密ケースの前室内周壁に固定し、制御部、デジタル信号発生部、切替部、Ｄ／Ａ変換器、電力増幅器等を備えた制御基板を上記磁気回路部の下面に固定する一方、貫通穴をもつ仕切板で仕切られた水密ケースの後室に電池とスイッチを収容している。
【０００３】
上記スイッチをオンにして切替部によって選択すると、対応する特定周波数の組み合わせ信号がデジタル信号発生部からＤ／Ａ変換器に入力され、変換後のアナログ信号が電力増幅器で増幅された後にスピーカに入力され、スピーカから「ピポー,ピポー」,「パーピー,パーピー」などの特定の情報を表わす音響が水中に発せられる。
【０００４】
上記スピーカは、水深の増加に伴なって、ボイスコイルを突設した振動板が水圧で弾性変形して内方へ押し込まれ、この振動板と弾性支持板で仕切られる前室内の圧力が増加するが、弾性支持板も弾性変形して後室側へ押し込まれるので、弾性支持板上の磁気回路部も押し込まれて、振動板の正常な駆動に必要なボイスコイルと磁気回路部の嵌合が維持される。つまり、スピーカは、水深１０ｍ以下の水圧を受けても良好な音響を発することができる。
【０００５】
ところが、上記従来のダイバー用スピーカは、比較的大きく、小型化すると、ケース内の空気が振動板の振動によって歪みを発生するという欠点がある。
【０００６】
また、磁気回路部を支持する弾性支持板を小型化に伴なって薄くすると、振動板が音圧の大きい低音を出す際、ケース内の空気が圧縮,膨張を繰り返して、振動板のボイスコイルが磁気回路部に対して円滑に動かなくなって、振動板の動作が不安定になるという欠点がある。
【０００７】
【発明が解決しようとする課題】
そこで、本発明の目的は、スピーカ本来の機能に加えて警告用の振動や音も発生でき、部品点数を削減することによって廉価に製造できる小型かつ高性能の防水スピーカを提供することにある。
【０００８】
【課題を解決するための手段】
上記目的を達成するため、請求項１に係る発明は、ケースの前面にこのケース内を密封するように設けられた振動板と、この振動板にケース内に向けて突設されたボイスコイルと、上記ケースに上記振動板に対向するように設けられた弾性材料からなる第１弾性板と、上記ボイスコイルに嵌合する嵌合部と磁石を有して上記第１弾性板に固定された磁気回路部を備えたスピーカにおいて、上記第１弾性板に、この第１弾性板で仕切られるケース内の振動板側の前室と、振動板と反対側の後室とを連通する貫通穴を設け、この貫通穴を経る前室、後室の空気の相互流通を伴う上記第１弾性板の振動によって音を発するようにしたことを特徴とする。
【０００９】
請求項１のスピーカでは、突設したボイスコイルに信号電流が流れる振動板と、ボイスコイルに嵌合し、かつ振動板に連結される嵌合部と磁石とを有してケース内の第１弾性板に固定された磁気回路部とは、相対運動する。発せられる音響が低周波数の場合は、第１弾性板で仕切られる前室と後室の空気が貫通穴を経て相互に流通し、これに伴って第１弾性板が振動する。一方、発せられる音響が高周波数の場合は、上記貫通穴を経る空気の流通は殆どなく、前室および後室内の空気がその容積に応じた特定周波数で共振する。このスピーカは、部材数が少ないので、安価かつ容易に製造できるうえ、小さくても音響発生時に内部空気が歪まないので、良好な音を維持しつつ小型化することができる。
【００１０】
このように、低周波域で主として第１弾性板の振動、高周波域で主として前,後室内の空気の共振によって音響が発せられるので、スピーカを携帯通信機器に適用すべく小型化しても、良好な高音のみならず良好な低音を発することができる。また、スピーカの構成部材は、振動板で密封されたケース内に総て収容されているので、粉塵を含む空気中等の悪環境下でも問題なく使用することができる。
【００１１】
本発明の一実施形態によるスピーカは、上記磁気回路部の嵌合部と上記振動板とを連結する弾性材料からなる第１連結部材と、上記第１弾性板に対向するように上記ケースに設けられた弾性材料からなる第２弾性板と、この第２弾性板に固定された慣性部材と、上記第２弾性板と上記第１弾性板とを連結する弾性材料からなる第２連結部材を備えたことを特徴とする。
【００１２】
上記スピーカでは、突設したボイスコイルに信号電流が流れる振動板と、ボイスコイルに嵌合し、かつ第１連結部材によって振動板に連結される嵌合部と磁石とを有してケース内の第１弾性板に固定された磁気回路部とは、相対運動して音響を発生する。発せられる音響が低周波数の場合は、第１弾性板より振動板側の前室内の空気と、第１弾性板より第２弾性板側の後室内の空気は、第１弾性板に設けられた貫通穴を経て互いに行き来し、振動板と、磁気回路部を固定した第１弾性板および慣性部材を固定して第１弾性板に第２連結部材を介して連結された第２弾性板とが、主として共振する。一方、発せられる音響が中・高周波数の場合は、上記貫通穴を経る空気の行き来は殆どなく、慣性部材を固定した第２弾性板は殆ど振動せず、振動板と前室および後室内の空気とが、主として共振する。また、ケースが小さくても音響発生時に内部空気が歪みを生じないので、容易に小型化できる。
【００１３】
このように、低周波域と中・高周波域の双方で主として共振によって音響が発せられるので、スピーカを携帯通信機器に適用すべく小型化しても、良好な中・高音のみならず良好な低音を発することができる。また、スピーカの構成部材は、振動板で密封されたケース内に総て収容されているので、粉塵を含む空気中等の悪環境下でも問題なく使用することができる。
【００１４】
本発明の一実施形態によるスピーカは、上記ケースが、上記第２弾性板に対向する底部を有して、上記第２弾性板とケースとの間に背面室を画成していることを特徴とする。
【００１５】
上記スピーカでは、第２弾性板とケース底部との間に背面室が画成されているから、第２弾性板と第１弾性板の間が上記後室に、第１弾性板と振動板の間が上記前室に夫々相当する。従って、このスピーカの構成部材および前・後室内の空気も、請求項２で述べたと同様に動作するので、スピーカを携帯通信機器に適用すべく小型化しても、良好な低音および中・高音を発することができる。また、スピーカの構成部材は、振動板およびケース底部で密封されたケース内に総て収容されているので、粉塵を含む空気中等の悪環境下でも問題なく使用することができる。
【００１６】
本発明の一実施形態によるスピーカは、上記第２弾性板の片面が、外部に露出していることを特徴とする。
【００１７】
上記スピーカでは、第２弾性板がケース底部を覆ってケース内を密封するから、請求項２で述べたと同様、第２弾性板と第１弾性板の間が上記後室に、第１弾性板と振動板の間が上記前室に夫々相当する。従って、このスピーカの構成部材および前・後室内の空気も、請求項１で述べたと同様に動作するので、スピーカを携帯通信機器に適用すべく小型化しても、良好な低音および中・高音を発することができ、粉塵を含む空気中等の悪環境下でも問題なく使用することができる。また、このスピーカは、背面室がないので、その分、部材点数の削減および一層の小型化を図ることができる。
【００１８】
本発明の一実施形態によるスピーカは、上記第１弾性板が、中心穴に上記磁気回路部が固定され、外周がケースの内壁に固定される円板であり、上記貫通穴は、上記円板を所定数の扇形に等分した領域に同一形状で設けられ、上記扇形の外周一端に開口し、この扇形の他端に向かって周方向に延びつつ上記中心穴に漸近する第１弧状溝と、上記扇形の外周他端に開口し、この他端に一端が隣接する扇形の他端に向かって周方向に延びつつ上記中心穴に漸近する第２弧状溝からなることを特徴とする。
【００１９】
上記スピーカの弾性板は、図７に示された円板を３つの扇形に等分した具体例から明らかなように、第１,第２弧状溝によって衝撃を緩和する十分な弾性を有し、円板の中心穴に磁気回路部が固定され、円板の３つの最外周がケースの内周壁に固定される。従って、特に、前室と後室の空気が第１弾性板の弧状溝を経て相互流通する際、第１弾性板が緩衝作用を発揮しつつ円滑に振動し、この振動が後室端を密閉する板材に伝わり、良好な低周波数の音響が発せられる。また、第１弾性板の緩衝作用によって、小型化によって前,後室の空気容積が減じても、低周波数域で磁気回路部が適度に振動して、良好な音を発することができる。
【００２０】
本発明の一実施形態によるスピーカは、上記磁気回路部の嵌合部が、上記ボイスコイルが挿入される内部と外部側を連通させる貫通穴を有することを特徴とする。
【００２１】
上記スピーカでは、振動板に突設したボイスコイルに嵌合する磁気回路部の嵌合部が、ボイスコイル側の内部と外部側を連通させる貫通穴を有するので、この貫通穴を経て空気が行き来して、ボイスコイルと磁気回路部の相対運動が容易になるので、消費電力を低減しながら良好な音響を発することができる。
【００２２】
本発明の一実施形態によるスピーカは、スピーカの出力音の周波数が２５０Ｈz以下の場合、上記振動板と上記磁気回路部および上記慣性部材とが主として共振して、上記第１弾性板の貫通穴を経て空気が行き来する一方、上記周波数が２５０Ｈzを超える場合、上記振動板と、上記第１弾性板と振動板との間の前室内の空気および上記第１弾性板と第２弾性板との間の後室内の空気とが主として共振することを特徴とする。
【００２３】
上記スピーカでは、振動板、第１弾性板、第２弾性板の材質および厚さを選択し、磁気回路部および慣性部材の質量および貫通穴の寸法を選択して、請求項１のスピーカで述べた低周波数域を２５０Ｈz以下に、中・高周波数域を２５０Ｈzを超える周波数に夫々設定している。従って、このスピーカの構成部材および前・後室内の空気は、請求項２で述べたと同様に動作するので、スピーカを携帯通信機器に適用すべく小型化しても、良好な２５０Ｈz以下の低音および良好な２５０Ｈzを超える中・高音を発することができ、粉塵を含む空気中等の悪環境下でも問題なく使用することができる。
【００２４】
本発明の一実施形態によるスピーカは、出力音の周波数が低い場合、上記第１弾性板の貫通穴を経る前室、後室の空気の相互流通を伴って第１弾性板が振動し、出力音の周波数が高い場合、上記前室、後室内の空気が共振して夫々音を発することを特徴とする。
【００２５】
上記スピーカでは、例えば500Ｈzを境に低周波数域と高周波数域に分け、低周波数域では、第１弾性板の貫通穴を経る前室、後室の空気の相互流通に伴なう第１弾性板の振動で音が発せられ、高周波数域では、前室、後室内の空気が共振して音が発せられる。従って、スピーカを携帯通信機器に適用すべく小型化しても、良好な低音および高音を発することができ、粉塵を含む空気中等の悪環境下でも問題なく使用することができる。
【００２６】
本発明の一実施形態によるスピーカは、上記磁気回路部が、上記ケースに小隙間をあけて嵌合する鍔部を振動板側の端部に有することを特徴とする。
【００２７】
上記スピーカでは、磁気回路部の振動板側の端部に、ケースに小隙間をあけて嵌合する鍔部を設けているので、スピーカが落下したり衝撃を受けた場合、鍔部がケース内壁に当接して磁気回路部の移動が止められるので、磁気回路部をケースに固定する第１弾性板が過度に変形せず、第１弾性板の損傷を防ぐことができる。なお、小隙間による前室、後室内の空気の相互流通の不足は、上述の実施形態の磁気回路のボイスコイルとの嵌合部に設けられた貫通穴を大径にして補うことができる。
【００２８】
本発明の一実施形態によるスピーカは、上記磁気回路部が、この磁気回路部の重心位置で上記円板の中心穴に固定されていることを特徴とする。
【００２９】
上記スピーカでは、ボイスコイルとの相互作用で振動する磁気回路部が、その重心位置で円板を介してケースの内周壁に固定されているので、均衡のとれた支持によって磁気回路部の振動が安定し、良好な音響を発することができる。
【００３０】
本発明の一実施形態によるスピーカは、上記磁気回路部が、上記円板に関して面対称な形状を有するとともに、上記ケースの底部が、振動板で密閉されていることを特徴とする。
【００３１】
上記スピーカでは、ボイスコイルを内方へ突設した振動板が、ケースの前面と底部に設けられ、各ボイスコイルに、円板に対して面対称な形状をもつ磁気回路部の嵌合部が嵌合している。従って、均衡よく支持された磁気回路部は安定して振動して、良好な音響を発するうえ、スピーカの小型化を図りつつ、大きな音響出力を得ることができる。
【００３２】
本発明の一実施形態によるスピーカは、上記ケースが、底部が第２弾性板で密閉され、この第２弾性板と上記第１弾性板との間に上記後室が画成されていることを特徴とする。
【００３３】
上記スピーカでは、ケースの底部が第２弾性板で密閉され、この第２弾性板と第１弾性板の間に後室が形成されているので、特に、前室と後室の空気が第１弾性板の弧状溝を経て相互流通する際、第１弾性板が緩衝作用を発揮しつつ円滑に振動し、この振動が後室端を密閉する第２弾性板に伝わり、第２弾性板の振動がケースに伝わって、大きな出力の低周波音響が得られる。
【００３４】
本発明の一実施形態によるスピーカは、上記ケースおよび振動板が、耐水性材料からなり、上記ケースの底部が、背面室の圧力を外部圧力に等しくするように弾性変形する弾性材料からなることを特徴とする。
【００３５】
上記スピーカでは、ケースおよび振動板が耐水性材料からなるので、第２弾性板の片面が外部に露出していない限り、スピーカの構成部材は、耐水性材料からなる振動板およびケース底部で密封されたケース内に総て収容されるから、粉塵を含む空気中のみならず水中および高湿度等の悪環境下でも問題なく使用することができる。また、弾性材料からなるケース底部は、ケース前面の振動板と同じく、水深の増加に伴なって弾性変形して内方へ押し込まれて、背面室の圧力を外部圧力に等しくするので、第２弾性部材で前後に仕切られた後室と背面室が同一の外部圧力になる。従って、後室が背面室よりも高圧になる弾性変形しないケース底部の場合と異なり、慣性部材を固定した第２弾性部材の運動が妨げられず、深い水中でも良好な音を発することができる。
【００３６】
本発明の一実施形態によるスピーカは、上記ケースおよび振動板が、耐水性材料からなることを特徴とする。
【００３７】
上記スピーカでは、ケースおよびスピーカが、耐水性材料からなるので、上述と同様、ケース内の構成部材が、粉塵を含む空気中のみならず水中および高湿度等の悪環境から遮断され、問題なく使用することができる。
【００３８】
本発明の一実施形態によるスピーカは、上記ボイスコイルが、音声に対応する電気信号が入力される第１コイルと、警報音や着信を知らせる振動に対応する電気信号が入力される第２コイルとで構成されることを特徴とする。
【００３９】
上記スピーカでは、ボイスコイルの第１コイルから音声が発せられ、ボイスコイルの第２コイルから警報音や着信報知振動が発せられるので、このスピーカを携帯電話等の携帯通信機器に組み込むことによって、音声通話できるのみならず、着信があったことを容易に知ることができる。また、第２コイルが追加されているので、出力音圧を増大できる。
【００４０】
本発明の請求項１６に係る携帯通信機器は、上記いずれかに記載のスピーカを本体ケースに取り付けたことを特徴とする。
【００４１】
請求項１６の携帯通信機器は、本体ケースのスピーカ開口に、振動板の表面を露出させて上記スピーカを気密に取り付けて、スピーカを含む携帯通信機器全体に防塵機能を付与したり、本体ケースを耐水性材料で作り、スピーカを同様に水密に取り付けて防水機能を付与することができるとともに、音響性能に優れた小型かつ廉価なスピーカによって、携帯通信機器の小型化と低廉化を図ることができる。
【００４２】
本発明の一実施形態による携帯通信機器は、本体ケースのスピーカ開口に、上記本体ケース内に水が入らないように水密に取り付けられた水中用の携帯通信機器であることを特徴とする。
【００４３】
上記水中用の携帯通信機器は、水密に取り付けられたスピーカによって、携帯通信機器の小型化と低廉化を図りつつ、水中でも良好な音を聞くことができる。
【００４４】
【発明の実施の形態】
以下、本発明を図示の実施の形態により詳細に説明する。
【００４５】
図１は、本発明によるスピーカの一実施形態の縦断面図であり、このスピーカは、耐水材料からなる円筒状のケース１と、このケース１の上面を覆ってケース内を密封するように固定された耐水材料としてのプラスチック製の振動板２と、この振動板２の内面中央に突設されたボイスコイル３と、上記振動板２に対向するように外周をケース１の下端に固定して設けられた弾性材料としての金属からなる第１弾性板４と、上記ボイスコイル３に内嵌する円柱状の嵌合部６aを突設した円板状の下板６と、ボイスコイル３に外嵌する中心穴７aをもつ円板状の上板７とで、環状の永久磁石８を挟んでなり、上記第１弾性板４にスペーサ板９を介して固定される磁気回路部５とを備えている。
【００４６】
上記ケース１の下端には、外部の水圧を受けて弾性変形する耐水性材料からなるケース裏蓋１０が水密に連結され、このケース裏蓋１０に、弾性材料としてのプラスチックからなる第２弾性板１１が、第１弾性板４に対向させて外周を固定され、第２弾性板１１の上面にステンレス鋼製の慣性部材１２が固定されている。この慣性部材１２と第１弾性板４は、弾性材料としてのプラスチック製の第２連結部材１４で連結される一方、上記磁気回路部５の嵌合部６aと振動板２は、弾性部材としてのプラスチック製の第１連結部材１３で連結される。
【００４７】
振動板２とケース裏蓋１０で密封されたケース１内は、第１,第２弾性板４,１１によって、上から順に前室１５,後室１６,背面室１７に仕切られ、第１弾性板４には、前室１５と後室１６を連通する複数の貫通穴１８が、周方向に所定間隔を隔てて設けられている。
【００４８】
磁気回路部５を流れる磁束は、アルミニウム管１９の下部外周に巻かれた上記ボイスコイル３に流れる信号電流によって生じる磁束と交差して、ボイスコイル３を突設した振動板２が、これに第１連結部材１３を介して連結する磁気回路部５とこれに間接的に連結する第１弾性板４、第２連結部材１４、慣性部材１２、第２弾性板１１とに対して上下方向に相対運動して、信号電流に応じた音響を発するようになっている。
【００４９】
プラスチック製の振動板２の厚さは、２mm以下にし、金属製の第１弾性板４の材質(柔軟性)と厚さは、磁気回路部５の質量に合うように選択し、第２弾性板１１は、第１弾性板４よりも薄くし、ステンレス鋼製の慣性部材１２の質量、プラスチック製の第１,第２連結部材１３,１４の材質、および第１弾性板４の貫通穴１８の個数や直径を、適切に選択して、２５０Ｈz以下の低周波域では、前室１５の空気と後室１６の空気が貫通穴１８を経て互いに行き来して、振動板２と、磁気回路部５を固定した第１弾性板４および慣性部材１２を固定して第２連結部材１４を介して第１弾性板４に連結された第２弾性板１１とが、主として共振するようにしている。また、２５０Ｈzを超える中・高周波数域では、貫通穴１８を経る空気の行き来が殆どなく、慣性部材１２を固定した第２弾性板１１は殆ど振動せず、振動板２と前室１５および後室１６の空気とが、主として共振するようにしている。
【００５０】
なお、貫通穴１８の直径を変化させることによって、共振周波数を容易に変化させることができる。
【００５１】
振動板２のプラスチック材料としては、ウレタンゴム、シリコーンゴム、ポリプロピレン樹脂、ポリエチレン樹脂などを用いることができ、ボイスコイル３は、アルミニウム管１９の上端を接着して振動板２に固定されるが、空芯コイルとしたり、ポリイミド系樹脂の多層基板のように印刷またはエッチングによって振動板２と一体に形成することもできる。
【００５２】
第１,第２連結部材１３,１４も、ウレタンゴム、シリコーンゴム、ポリプロピレン樹脂、ポリエチレン樹脂などのプラスチック材料を用いることができ、変位と復帰力との関係からスポンジが特に好ましいが、ステンレス鋼、アルミニウム、鋼鉄などの金属製のばねとすることもできる。第２弾性板１１は、プラスチック材料としてウレタンゴム、シリコーンゴム、ポリプロピレン樹脂、ポリエチレン樹脂などを用いることができるが、ステンレス鋼、アルミニウム、鋼鉄などの薄い金属板としてもよい。また、慣性部材１２は、ステンレス鋼に限らず、アルミニウムや鉄鋼製とすることができる。
【００５３】
上記構成のスピーカは、次のように動作する。
【００５４】
振動板２の内面中央に突設され、永久磁石８をもつ磁気回路部５の磁束が交差するボイスコイル３に音響に応じた信号電流が流れると、振動板２は、これに第１連結部材１３を介して連結する磁気回路部５およびこれにスペーサ板９を介して固定される第１弾性板４、第２連結部材１４、慣性部材１２、第２弾性板１１に対して上下に相対運動し、信号電流に応じた音響を発生する。
【００５５】
上記相対運動の態様は、発せられる音響の周波数に応じて異なり、周波数が２５０Ｈz以下の低周波域では、前室１５の空気と後室１６の空気が貫通穴１８を経て互いに行き来して、振動板２と、磁気回路部５を固定した第１弾性板４およびこれに第２連結部材１４を介して連結された慣性部材１２を固定した第２弾性板１１とが、主として共振する。一方、周波数が２５０Ｈzを超える中・高周波数域では、貫通穴１８を経る空気の行き来が殆どなく、慣性部材１２を固定した第２弾性板１１は殆ど振動せず、振動板２と前室１５および後室１６の空気とが、主として共振する。
【００５６】
低周波数域において、慣性部材１２を固定した第２弾性板１１が共振するのは、第１弾性板４に貫通穴１８があるので、磁気回路部５の振動に伴なってダイナミックに動こうとする前室１５内の空気が、貫通穴１８を経て後室１６との間で行き来するから、上記振動の振動音が、第１弾性板４と貫通穴１８によって空洞共振して低周波数の振動や振動音を発し、貫通穴１８の個数や直径および磁気回路部５の質量に応じた特定周波数での共振が可能になって、慣性部材１２を固定した第２弾性板１１が、磁気回路部５と一緒に上下運動するからである。一方、中・高周波数域においては、磁気回路部５の質量が周波数に比して大きくなるので、磁気回路部５が振動に追従できず、前室１５内の空気もダイナミックに動かず、貫通穴１８を経る空気の行き来も殆どなくなるため、慣性部材１２を固定した第２弾性板１１は共振しないのである。
【００５７】
このように、上記スピーカは、低周波域で、振動板２と、磁気回路部５を固定した第１弾性板４および慣性部材１２を固定した第２弾性板１１とが、中・高周波数域で、振動板２と、前室１５および後室１６の空気とが夫々主として共振するので、全周波数域で共振によって良好な音響を発することができ、従来のダイバー用スピーカと異なり、小型化してもケース内の空気が振動板の振動によって歪みを生じないから、小型化しても、良好な音響を発することができる。
【００５８】
また、上記スピーカは、耐水性のケース１の上下端が、耐水プラスチック製の振動板２と弾性変形する耐水性材料からなるケース裏蓋１０で夫々密封されている。このスピーカを水中に没していくと、水深の増加に伴なって振動板２のみならずケース裏蓋１０も弾性変形してケース内へ押し込まれるので、背面室１７の圧力を、前室１５およびこれに貫通穴１８を介して連通する後室１６の圧力、つまり水深に応じた水圧に等しくすることができる。ケース裏蓋１０を弾性変形しない材料で作った場合、背面室１７は製造時の大気圧のままとなって、第２弾性板１１が後室１６側の水圧で押し下げられ、低周波音を発する際の慣性部材１２の上下運動が妨げられるが、上記スピーカではこのようなことはなく、深い水中でも良好な音を発生することができる。
【００５９】
弾性変形する上記ケース裏蓋１０は、水中のみならず、後室１６と背面室１７の間で圧力差が生じ得る温度変動の大きな環境や航空機内などの気圧変動が大きな環境でも同様の作用を奏して、良好な音を発生することができる。
【００６０】
なお、ケース裏蓋１０を弾性変形しない材料で作っても、ケース１内が密封されることに変わりはないので、全構成部材がケース１内に収容されたこのスピーカを、粉塵や塩分や腐食ガスを含む空気中等の悪環境から保護でき、良好な音質を保つことができる。
【００６１】
図２は、本発明によるスピーカの他の実施形態を示す縦断面図である。このスピーカは、第２弾性板１１がケースの下面に露出し、磁気回路部２１の形態が異なる点を除いて、図１で述べたスピーカと同じ構成であり、同じ部材には同一番号を付して説明を省略する。
【００６２】
上記第２弾性板１１は、短い円筒状の底部のないケース下部材２０の下端に外周を固定して、ケース１内を密封するように設けられ、ケース内は、貫通穴１８をもつ第１弾性板４によって上下の前室１５と後室１６に仕切られていて、図１の背面室１７はない。
【００６３】
上記磁気回路部２１は、図１よりも大径のアルミニウム管１９の下部外周に巻回したボイスコイル３に内嵌する嵌合部としての永久磁石２３と、この永久磁石２３を中央底部に固定し、環状の外周壁がボイスコイル３に外嵌する下板２２とからなり、ボイスコイル３に対向する上記中央底部には、内部と外部側を連通する複数の貫通穴２２aが設けられている。磁気回路部２１は、永久磁石の上端に固定した下板と同じ材料からなる円板と第１連結部材１３および下板２２の下面のスペーサ板９を介して、振動板２および第１弾性板４に夫々固定される。
【００６４】
上記スピーカは、大径のボイスコイル３の内外をポット形の磁気回路部２１が囲い込むものであるが、ボイスコイル３に対向する下板２２の底部に貫通穴２２aが設けられているので、ボイスコイル３と磁気回路部２１が相対上下動する際、貫通穴２２を経て内外間で空気が行き来して、相対上下動が妨げられることなく円滑化する。従って、消費電力を抑えつつ良好な音響を発することができる。
【００６５】
上記スピーカは、図１のケース裏蓋１０を第２弾性板１１で置き換えてケース裏蓋１０を省略したにすぎず、各構成部材の動作は、図１のスピーカと場合と何ら異ならない。
【００６６】
従って、上記スピーカでも、低周波域で、振動板２と、磁気回路部２１を固定した第１弾性板４および慣性部材１２を固定した第２弾性板１１とが、中・高周波数域で、振動板２と、前室１５および後室１６の空気とが夫々主として共振して、全周波数域で共振によって良好な音響を発することができ、小型化しても良好な音響を発することができる。
【００６７】
また、上記スピーカでは、図１の背面室１７がないので、その分、部材点数が削減できて一層の小型化を図ることができるとともに、全構成部材が、振動板２と第２弾性板１１で密封されたケース１内に収容されているので、粉塵を含む空気中等の悪環境下でも問題なく使用できる。
【００６８】
さらに、第２弾性板１１を、耐水性を有して水圧により弾性変形するアルミニウムなどの金属で作れば、図１のケース裏蓋１０を省略して一層小型化、低廉化を図りつつ、深い水中でも良好な音を発するスピーカを得ることができる。
【００６９】
図３は、上記実施形態のスピーカを取り付けた携帯通信機器の一例としてのページャー(メッセージ送受信器)の縦断面図である。このページャーは、本体ケース２４の上部のスピーカ開口２４aに、本体ケース内に第２弾性板１１が露出し、ポット形の磁気回路部２１をもつ図２と類似のスピーカを取り付け、本体ケース内の下部にプリント配線板２６と電池２７を収容し、スピーカ開口２４aに嵌め込まれた振動板２の表面側を、貫通穴２５aをもつ風防２５で覆ったものである。
【００７０】
スピーカは、慣性部材１２が第２弾性板１１の裏面に固定されている点を除いて図２のスピーカと同じ構造であり、構成部材には図２と同じ参照番号を付している。
【００７１】
上記風防２５は、振動板２が直接外気に触れるのを防ぐとともに、貫通穴２５aの直径を所定値にすることによって、空気による空洞共振を生じさせて、特定周波数の音の音圧を増大することができ、特に１kＨz〜５kＨzの音に共振するように貫通穴２５aの直径と内部空洞容積を選択すれば、高音圧の呼び出し音を発生することができる。
【００７２】
図３のページャーの本体ケース２４内に密封して取り付けられたスピーカは、小型化できて図２で述べたと同じように動作するので、粉塵等を含む空気中等の悪環境下でも問題なく用いることができ、低・中・高周波数全域に亘って、共振によって良好な音響を発生できるとともに、ページャー自体の小型化と低廉化を図ることができる。
【００７３】
また、耐水性材料で作った本体ケース２４に、水密にスピーカを取り付ければ、水中や高湿度の環境下でも使用できる音響性能に優れたページャーを得ることができる。
【００７４】
図４Ａは、上記実施形態のスピーカを取り付けた携帯通信機器の一例としてのトランシーバの縦断面図である。このトランシーバは、本体ケース２８の上部に、この本体ケースと同じプラスチック材料からなる振動板２を一体成形し、その内側に図２と同じ構造のスピーカを取り付けてなり、スピーカの同一構成部材には図２と同じ参照番号を付している。
【００７５】
上記トランシーバのスピーカ下部には、液晶表示パネル２９が設けられ、本体ケース２８内には、プリント配線基板３０が収容されている。
【００７６】
図４Ｂは、図４Ａのスピーカのボイスコイル３１に信号電流を供給する電気回路を示しており、ボイスコイル３１は、パワーアンプ３２から音声に対応する信号電流が供給される第１コイル３１aと、パルスアンプ３３から着信を知らせる振動に対応する信号電流が供給される第２コイル３１bとで構成され、このボイスコイル３１によって、振動板２、磁気回路部２１を固定した第１弾性板４、慣性部材１２を固定した第２弾性板１１が一体となった音響放出部３４が振動する。
【００７７】
従って、第１コイル３１aと第２コイル３１bを含むスピーカが、低・中・高周波数域における音声およびパルスの振動を発生する役割を担い、振動板２と一体になった本体ケース２８全体が、発生した音声およびパルスを増大して放出する役割を担うのである。
【００７８】
図４Ａのトランシーバは、スピーカの第１コイル３１aと第２コイル３１bで発せられ、本体ケース２８全体から増強して放出される音波および着信報知振動をユーザが感知するので、ユーザは、音声に加えて着信があったことを容易に知ることができる。
【００７９】
なお、第２コイル３１bには、パルスアンプ３３から警報音や音声に対応するパルス電流信号を供給することもでき、これによってユーザに特定の警告を知らせたり、音声の音圧を１００dＢ以上に増すことができる。
【００８０】
また、上記トランシーバは、図３のページャーと同じく、粉塵等を含む空気中等の悪環境下でも問題なく用いることができ、低・中・高周波数全域に亘って、共振によって良好な音響を発生できるとともに、トランシーバ自体の小型化と低廉化を図ることができ、耐水性材料で作った本体ケース２８にスピーカを水密に取り付ければ、水中や高湿度環境下でも使用できることは勿論である。
【００８１】
図５Ａ,Ｂは、上記実施形態のスピーカを取り付けた防水ヘッドホンの半断面図およびスピーカの詳細断面図である。この防水ヘッドホンは、開口部を片面にもち、全体が防水構造となった本体ケース３５内に、複数の貫通穴３６aをもつ保護カバー３６で上下面を覆った図５Ｂに示すスピーカを水密に取り付けたものである。
【００８２】
上記スピーカは、図２で述べたスピーカに類似するが、磁気回路部２１が第１弾性板４の下面に固定されている点が異なる。即ち、磁気回路部２１は、ボイスコイル３に外嵌する下板２２の環状外周壁の上端と、貫通穴２２aをもつ下板の中央底部に固定され、ボイスコイル３に内嵌する永久磁石２３の上端とが、貫通穴１８をもつ第１弾性板４の下面に固定され、永久磁石２３の上端が、第１弾性板４と第１連結部材１３とを介して振動板２に連結される一方、磁気回路部２１の下端が、第２連結部材１４と慣性部材１２を介してケース１の下面を覆う第２弾性板１１に連結されている。なお、参照番号３７は、ボイスコイル３に信号電流を供給する信号線である。
【００８３】
上記構成の防水ヘッドホンは、片面に開口部をもつが、開口部の周縁と内部に収納されたスピーカの外周縁が図５Ｂの如く水密に封止されているので、水中で用いても内部に水が侵入することはなく、完全防水構造となっている。また、ボイスコイルをもつ振動板２、磁気回路部２２を固定した第１弾性板４、慣性部材１２を固定した第２弾性板１１からなる音響発生部の構造は、磁気回路部２１が第１弾性板４の下面に固定されている以外は、図２の音響発生部と同じである。
【００８４】
従って、この防水ヘッドホンは、小型化を一層図ることができ、図２で述べたと同様に動作して低・中・高周波数の全域に亘って共振により良好な音を発するスピーカによって、泳ぎながらでも水中でも音楽を聴くことができる。また、スピーカの上下面が保護カバー３５で覆われているので、外部の異物やユーザの指などの衝突から振動板２が保護され、スピーカが外力による衝撃から保護されるという利点がある。
【００８５】
図６は、図５Ｂのスピーカから第１,第２連結部材１３,１４と慣性部材１２を除去した他の実施形態の縦断面図であり、図５Ｂと同じ部材には同一番号を付して説明を省略する。
【００８６】
このスピーカの構造は、図５Ｂよりも小型(例えば直径１６mm)のものに適用される構造であって、振動板２と永久磁石２３を連結する第１連結部材(図５Ｂの１３)、第２弾性部材１１の内面の慣性部材(図５Ｂの１２)およびこの慣性部材と磁気回路部５１とを連結する第２連結部材(図５Ｂの１４)が省略されている。
【００８７】
上記磁気回路部５１は、図５Ｂのものと同じくボイスコイル３に外嵌する下板５２の底部に貫通穴５２aを有する一方、下板２２の環状外周壁の上端に、ケース４１に小隙間をあけて嵌合する鍔部５２bを有する。ケース４１には、図８Ａ,Ｂに示すように、円筒状の内周壁４１aに等間隔をおいて突出する６つの半円柱状の突起４２が設けられ、この突起４２と上記鍔部５２bが小隙間をあけて嵌合する。突起４２を設けた理由は、ケース４１の突起４２,４２で挟まれる内周壁４１aと鍔部５２bの外周との間の隙間を大きくして、磁気回路部５１の振動に対する前室１５内の空気の抵抗を低減するためである。
【００８８】
磁気回路部５１は、図５Ｂのものと異なり、第１弾性板５４のみを介してケース４１の内周壁に固定される。第１弾性板５４は、第１連結部材(図５Ｂの１３)、慣性部材(図５Ｂの１２)、第２連結部材(図５Ｂの１４)が省略されている関係上、緩衝作用(サスペンション効果)を高める必要があるので、図７で後述するジンバル形状を有する。磁気回路部５１は、図６に示すように、その重心位置で第１弾性板５４の中心穴５４aに固定され、第１弾性板５４の３つの最外周部５４bがケース４１の内周壁４１aに固定される。磁気回路部５１をその重心位置で第１弾性板５４を介してケース４１に支持したのは、均衡のとれた支持によって、ボイスコイル３との相互作用に伴う磁気回路部５１の振動を安定させ、良好な音響を得るためである。
【００８９】
図７は、第１弾性部材５４のジンバル形状を示す平面図である。この第１弾性部材５４は、中心穴５４aをもつ円板を３つの扇形領域５４-1,５４-2,５４-3に等分し、各扇形領域に同一形状で設けられた貫通穴としての弧状溝５８を有する。この弧状溝５８は、扇形領域５４-1の外周一端(最外周部５４b側端)に開口し、この扇形領域５４-1の略他端まで周方向に延びつつ中心穴５４aに漸近する第１弧状溝５８aと、上記扇形領域５４-1の外周他端に開口し、この他端に一端が隣接する扇形領域５４-3の略他端まで周方向に延びつつ中心穴５４aに漸近する第２弧状溝５８bからなる。ジンバル形状をもつ第１弾性部材５４は、多数の第１,第２弧状溝５８a,５８bを有するので、大きな緩衝作用をもつ。
【００９０】
上記構成のスピーカは、次のように動作する。
【００９１】
振動板２の内面に突設したボイスコイル３に信号電流が流れると、このボイスコイル３に内嵌,外嵌する永久磁石２３,下板５２を有して、第１弾性板５４を介してケース４１に支持される磁気回路部５１は、相対運動する。ここで、第１弾性板５４は、図７で述べた３組の弧状溝５８からなるジンバル形状を有して、大きな緩衝作用を発揮するので、図５Ｂの第１連結部材１３,慣性部材１２,第２連結部材１４が省略されていて小型であるにも拘らず、磁気回路部５１は、特に低周波数の信号電流に過剰応答することなく適切に振動する。信号電流が低周波数の場合は、第１弾性板５４で仕切られる前室１５と後室１６の空気が、弧状溝５８を経て相互に流通し、これに伴って第１弾性板５４が振動し、この振動が後室１６の底部を密閉する第２弾性板１１に伝わり、第２弾性板１１の振動が更にケース４１を振動させて、良好な低周波数の音響が発せられる。一方、信号電流が高周波数の場合は、磁気回路部５１は、周波数に比しての質量慣性が大きくなるから僅かに振動するだけで、弧状溝５８を経るの空気の流通は殆どなく、前室１５および後室１６の空気がその容積に応じた特定の周波数で共振して、良好な高周波数の音響が発せられる。実験結果によれば、低周波数と高周波数の境界は、例えば500Ｈzにあって、低周波数側では115〜140Ｈz付近の特定周波数で共振によって大きな音声出力が得られ、高周波数側では、周波数が３kＨzに至るまで前,後室内の空気の連続的な共振によって大きな音声出力が連続的に得られた。なお、共振周波数は、第１弾性板５４の弧状溝５８の周方向長さや合計面積を変化させて緩衝効果を調整することにより、容易に変えることができる。
【００９２】
このように、上記スピーカによれば、低周波数域で主として第１弾性板５４の振動、高周波数域では、主として前,後室１５,１６内の空気の共振によって音響が発せられるので、スピーカを携帯通信機器に適用すべく図５Ｂのものよりも更に小型化しても、全周波数域に亘って良好な音を発することができるうえ、スピーカの構成部材が、振動板２と第２弾性板１１で密封されたケース４１内に総て収容されているので、粉塵を含む空気中等の悪環境でも問題なく使用することができる。
【００９３】
さらに、上記構成のスピーカは、磁気回路部５１の下板５２の上端に、ケース４１の内周に小隙間をあけて嵌合する鍔部５２bを設けているので、スピーカが落下などで衝撃を受けても、鍔部５２bがケース内周に当接して磁気回路部５１の移動が阻止されるから、磁気回路部５１を支持する多数の弧状溝５８をもつ第１弾性板５４が過度に変形せず、第１弾性板５４の損傷を防ぐことができるという利点がある。なお、前,後室内の空気の相互流通が上記小隙間によって阻害される現象は、下板５２の底部の貫通穴５２aの個数を増やしたり、直径を増やしたりして緩和することができる。
【００９４】
加えて、上記構成のスピーカは、磁気回路部５１をその重心位置で第１弾性板５４に固定し、この第１弾性板５４のみを介してケース１に支持しているので、ボイスコイル３との相互作用による磁気回路部５１の振動が、均衡のとれたものになって安定し、良好な音響を発することができるという利点がある。
【００９５】
なお、図６のスピーカも、図５Ｂで述べたものと同じく外周縁が水密に封止されているので、水中および高湿度下で用いても水が侵入せず、これを図５Ａのような防水ヘッドホンに組み込むことができるのは言うまでもない。
【００９６】
また、図６の実施形態では、図５Ｂの第１連結部材１３、慣性部材１２、第２連結部材１４を総て省略したが、必要に応じてこれらのいずれか１つ以上を設けることもできる。
【００９７】
図９は、ケース４１の前面と底面に振動板２,２を設けたスピーカの実施形態を示す縦断面図である。このスピーカは、図６の磁気回路部５１の底部を上方へ移動させ、下板５２の環状壁を下方へも突出させて下板６２とし、この環状壁で囲まれる底部裏面にも永久磁石２３を設けて磁気回路部６１とし、下部の永久磁石２３に嵌合するボイスコイル３を上方へ突設した振動板２によってケース４１の底部を密閉し、ケースの前,後端を保護カバー３６で覆っている。従って、上下の振動板２,２で密封されるケース４１内は、第１弾性板５４で上下の前室１５,１５に仕切られることになる。上下の振動板２,２に設けられたボイスコイル３,３は、信号線３７を介して、一方が図４Ｂに例示する第１コイル３１aとして音声の信号電流を供給するパワーアンプ３２に、他方が第２コイル３１bとして着信報知振動用の信号電流を供給するパルスアンプ３３に夫々接続される。第１,第２コイル３１a,３１bとしての上下のボイスコイル３,３は、同じ信号電流によって両者が作動したときに、一方のみが作動したときの２倍の力が磁気回路部６１に作用するように、コイルの巻き方向または通電方向が設定されている。
【００９８】
上記構成のスピーカは、第１弾性板５８の上下に永久磁石２３およびボイスコイル３をもつ振動板２を設けた点のみが、図６の実施形態と異なるので、次に述べる特有の作用効果を除いて、図６で述べたと同様の作用効果を奏する。
【００９９】
即ち、上部のボイスコイル３(３１a)をもつ振動板２は、磁気回路部６１に対して音声の信号電流に応じて相対振動し、下部のボイスコイル３(３１b)をもつ振動板２は、着信報知振動用の信号電流に応じて相対振動するので、ユーザは、図４Ａのトランシーバで述べたと同様に、通話音声に加えて着信があったことをケースの振動によって容易に知ることができる。
【０１００】
なお、上下のボイスコイル３,３には、同一の音声の電流信号を供給することもでき、そうすれば、後室の省略で更なる小型化が図れるとともに、上述と同様に良好な周波数特性に加えて、振動板２の振幅が倍増されて大きな音声出力を得ることができる。また、例えば下部のボイスコイル３に特定周波数の音声信号を逆位相で供給すれば、周波数に依存する出力音声特性を補正することもでき、広い応用範囲をもつという利点がある。
【０１０１】
図１０は、図９の変形例の縦断面図を示している。このスピーカは、図９の磁気回路部６１を第１弾性板５８に関して上下に面対称な形状にして磁気回路部７１とし、下部の振動板２を平坦な振動板２としている。従って、磁気回路部７１の下板７２の貫通穴７２aをもつ水平底部の位置に第１弾性板５４を固定すれば、磁気回路部７１が重心位置で支えられることになり、均衡のとれた磁気回路部７１の支持が、上下対称なボイスコイル３,３の配置と相俟って、ボイスコイル３による磁気回路部７１の振動が安定して、良好な音を発することができる。また、磁気回路部７１の下端にも、ケース４１に小隙間をあけて嵌合する鍔部７２bを設けているので、落下などでスピーカが衝撃を受けても、磁気回路部５１を支持する第１弾性板５４が過度に変形せず、第１弾性板５４の損傷をより確実に防ぐことができる。その他の作用効果は、図９の実施形態で述べたとおりである。
【０１０２】
図１１は、図１０の変形例を示す縦断面図である。このスピーカは、ケースを短くして小型化を図るべく、図１０の磁気回路部７１の下板７２から下方へ突出する環状壁をなくし、平坦にした下部の鍔部８２bの中央に永久磁石２３を突設して磁気回路部８１とするとともに、下部のボイスコイル３を短くしている。
【０１０３】
このスピーカは、下部のボイスコイル３の短縮と磁気回路部７１の上下非対称化で更なる小型化を図ることができるという利点以外は、図１０の実施形態と同様の作用効果を奏する。
【０１０４】
本発明の携帯通信機器には、上記実施形態のページャー、トランシーバ、防水ヘッドホンのみならず、通常の携帯電話や携帯パーソナルコンピュータ等の種々の機器が含まれることは言うまでもない。
【０１０５】
本発明のスピーカは、小型なうえ出力音声の周波数特性が良好で、水中ヘッドホンや携帯電話に好適に用いることができる。
【図面の簡単な説明】
【図１】  図１は、本発明によるスピーカの一実施形態の縦断面図である。
【図２】  図２は、本発明によるスピーカの他の実施形態を示す縦断面図である。
【図３】  図３は、上記スピーカを取り付けた携帯通信機器の一例としてのページャーの縦断面図である。
【図４】  図４Ａ，Ｂは、上記スピーカを取り付けた携帯通信機器としてのトランシーバの縦断面図およびスピーカのボイスコイルに信号電流を供給する電気回路の回路図である。
【図５】  図５Ａ，Ｂは、上記スピーカを取り付けた携帯通信機器としての防水ヘッドホンの半断面図およびスピーカの詳細断面図である。
【図６】  図６は、図５Ｂのスピーカから第１,第２連結部材および慣性部材を除去した他の実施形態を示す縦断面図である。
【図７】  図７は、図６の第１弾性部材の平面図である。
【図８】  図８Ａ，Ｂは、図６のケースの斜視図および平面図である。
【図９】  図９は、ケースの前面と底面に振動板を設けたスピーカの実施形態を示す縦断面図である。
【図１０】  図１０は、図９の変形例の縦断面図である。
【図１１】  図１１は、図１０の変形例の縦断面図である。
【符号の説明】
１ ケース
２ 振動板
３ ボイスコイル
４ 第１弾性板
５ 磁気回路部
６ 下板
６a 嵌合部
７ 上板
８ 磁石
１１ 第２弾性板
１２ 慣性部材
１３ 第１連結材
１４ 第２連結材
１５ 前室
１６ 後室
１７ 背面室
１８ 貫通穴
【図１】
0004377131.tif 000002
【図２】
0004377131.tif 000003
【図３】
0004377131.tif 000004
【図４Ａ】
0004377131.tif 000005
【図４Ｂ】
0004377131.tif 000006
【図５Ａ】
0004377131.tif 000007
【図５Ｂ】
0004377131.tif 000008
【図６】
0004377131.tif 000009
【図７】
0004377131.tif 000010
【図８Ａ】
0004377131.tif 000011
【図８Ｂ】
0004377131.tif 000012
【図９】
0004377131.tif 000013
【図１０】
0004377131.tif 000014
【図１１】
0004377131.tif 000015